(57)【特許請求の範囲】
【請求項１】
所定間隔で複数配設した絶縁セパレータの各間に、接続すべきバスダクトの導体端部を挿入して互いに接続し、該絶縁セパレータの両側から締着具で一括締着するバスダクト接続部において、
該導体端部相互の接続部分に分岐用端子の受入接続部を形成して、該受入接続部が位置する開放面を取り外し可能なカバー部材で覆い、
該カバー部材に、該受入接続部への対応箇所に該分岐用端子を挿入可能な開口部を形成できるノックアウト部を設け、
該ノックアウト部の外面を、該開口部よりも外側位置に設置して、該カバー部材を取り外した状態で該ノックアウト部を打ち抜くことにより該開口部を形成可能であることを特徴とするバスダクト接続部。
【請求項２】
前記カバー部材及び前記カバー部材に設けられているノックアウト部を、所定温度以上で変色する示温材料のプラスチックで形成することを特徴とする請求項１記載のバスダクト接続部。
【発明の詳細な説明】
【０００１】
【発明の属する技術分野】
本発明は、オフィスビルなどで電気幹線路を構成するバスダクトの接続部に係り、特に分岐回路を取り出す際に使用する、絶縁被覆導体密着形又は相間縮小形など各相一括締め付け式のバスダクト接続部に関する。
【０００２】
【従来の技術】
従来、オフィスビルなどで電気幹線路を構成する場合にバスダクトが使用されている。そして、バスダクトの分岐が必要とされる場合には、分岐用バスダクトのプラグイン分岐用開放部から分岐用ボックス等のプラグイン分岐用端子を差し込んで、必要な位置から分岐回路を取り出すこととなる。このため、将来的に分岐が必要とされるであろう箇所には、予め分岐用バスダクトを配設しておかなければならない。
【０００３】
かような分岐用バスダクトの具体例として、例えば特公昭４９−４４３８７号のように、分岐可能なバスダクト接続部を所定の分岐箇所に配設し、これにプラグイン分岐用端子を差し込むことで分岐するものがある。
【０００４】
また、特公昭４９−４４３８８号、特公昭５０−３０２７８号のように、分岐可能なバスダクト接続部を分岐箇所に配設して、これにプラグイン分岐用端子を差し込むことで分岐できる構成である共に、バスダクトの分岐が不必要なときには、プラグ分岐用端子を挿入するプラグイン分岐用開放部を蓋体で覆って、これをビス等で止める構成のものがある。
【０００５】
【発明が解決しようとする課題】
しかしながら、上述した分岐可能なバスダクト接続部には、分岐用ボックス等のプラグイン分岐用端子を挿入するためのプラグイン分岐用開放部の処理については、何ら開示されていないか、或いは蓋体で覆う構成が開示されているのみである。そして、分岐が不必要であるときにプラグイン分岐用開放部を開放したままの状態とする場合、前記開放部に異物が入り込み、短絡や地絡等の原因となる虞がある一方、プラグ分岐用開放部を蓋体で覆ったり取り外したりする構成とすると、高価なものとなってしまうという不具合が生じていた。
【０００６】
本発明は上記不具合を解消するためになされたものであって、所定箇所に配設される分岐可能なバスダクト接続部において、何処のバスダクト接続部からも、分岐の必要時に何時でも極めて容易に対応できると共に、安価であるバスダクト接続部を提供することを目的とする。
【０００７】
【課題を解決するための手段】
本発明によるバスダクト接続部は、所定間隔で複数配設した絶縁セパレータの各間に、接続すべきバスダクトの導体端部を挿入して互いに接続し、該絶縁セパレータの両側から締着具で一括締着するバスダクト接続部において、該導体端部相互の接続部分に分岐用端子の受入接続部を形成して、該受入接続部が位置する開放面を取り外し可能なカバー部材で覆い、該カバー部材に、該受入接続部への対応箇所に該分岐用端子を挿入可能な開口部を形成できるノックアウト部を設けることを特徴とし、更には、該ノックアウト部の外面を、該開口部よりも外側位置に設置して、該カバー部材を取り外した状態で該ノックアウト部を打ち抜くことにより該開口部を形成可能であることを特徴とする。
【０００８】
例えば、接続すべきバスダクト相互の同相導体端部を導電性接続部材に添った状態で向かい合わせて接続し、或いは接続すべきバスダクト相互の同相導体端部を重ね合わせて直接若しくは導電性接続部材を介して接続するもので、異相導体端部間及び最外側導体端部とその外側に設けたダクト側板継ぎ板との間に絶縁セパレータを介在し、これらに絶縁スリーブに挿通した締着具を貫通させる等により一括緊締するバスダクト接続部において、同相導体端部相互の接続部分に分岐用端子の受入可能な受入接続部を形成して、受入接続部が位置する分岐に対応した開放面をカバー部材で覆い、カバー部材には受入接続部への対応箇所において、分岐が必要なときに少なくとも分岐用端子を挿入可能な大きさの開口部を形成できるノックアウト部が設けられているものである。
【０００９】
さらに、前記バスダクト接続部で、少なくとも前記ノックアウト部がプラスチック製であること、より好ましくは前記ノックアウト部が設けられた前記カバー部材がプラスチック製であることを特徴とするものである。前記プラスチックは、所定温度以上で変色する示温材料や透明のものとすると好適である。
【００１０】
【作用】
本発明による分岐可能なバスダクト接続部は、突き合わせ方式のバスダクト接続部や重ね合わせ方式のバスダクト接続部等に関して、プラグイン分岐用端子を受け入れる開放部がカバー部材で覆われ、このカバー部材に少なくともプラグイン分岐用端子を挿入可能な大きさのノックアウト部が形成されている。そして、将来分岐が必要と思われる接続箇所或いは全ての接続箇所に配置されるバスダクト接続部につき、カバー部材に予め前記ノックアウト部が形成されていることによって、分岐が必要なときにはノックアウト部をハンマー等で打ち抜くことで、プラグイン分岐用の開口が簡単に形成されることになる。従って、バスダクト接続部への塵埃の侵入を最大限防止しつつ、何時でも何処の接続部からでも必要に応じて極めて容易に分岐をとることが可能である。
【００１１】
さらに、バスダクト接続部のノックアウト部やノックアウト部が設けられたカバー部材全体をプラスチック製とすることで絶縁性に非常に優れたものとすることができる。加えて、示温材料のプラスチックで形成した場合には変色による異常箇所の認識が容易になると共に、透明のプラスチックで形成した場合には前記バスダクト接続部内の接続状態を目視で確認すること等が可能になって、点検時にわざわざ前記バスダクト接続部のカバー部材を外す必要がなくなり、点検作業が容易となって好適である。
【００１２】
特にノックアウト部が設けられたカバー部材全体をプラスチック製とする場合には、製造工程でのノックアウト部の形成が容易となると共に製造コストも低減でき、さらにはカバー部材の軽量化も図ることができる。
【００１３】
【発明の実施の形態】
以下では、本発明に係るバスダクト接続部の具体的な実施形態を図面に添って説明するが、本発明の技術的思想はかかる実施形態によって限定されるものではない。
【００１４】
本発明のバスダクト接続部の具体例を図１乃至図６に示す。図１はバスダクト接続部の分解斜視図、図２はカバー部材を取り外した非カバー状態のバスダクト接続部を示す一部切断平面図、図３はプラグイン分岐用開口部が開口状態であるバスダクト接続部を示す平面図、図４はプラグイン分岐用開口部が開口状態であるカバー部材を示す斜視図、図５はバスダクト接続部と分岐用ボックスをプラグイン分岐用端子で接続した状態を示す正面図、図６はバスダクト接続部と分岐用ボックスをプラグイン分岐用端子で接続した状態の要部を示す一部切断正面図である。
【００１５】
バスダクト接続部１には、図１及び図２に示すように、所定間隔をあけて板形の絶縁セパレータ２が四つ等複数配設され、両側に位置する絶縁セパレータ２の外側にダクト側板継ぎ板３が配設されており、絶縁セパレータ２の相互間には絶縁セパレータ２に添って、例えば二枚の導電性接続部材４が設けられている。絶縁セパレータ２及び導電性接続部材４の略中央には略方形の挿通孔２ａ、４ａがそれぞれ形成され、挿通孔２ａ、４ａには絶縁スリーブ５が挿通されている。更に、ダクト側板継ぎ板３及び挿通される絶縁スリーブ５の略中心には、締着具であるボルト６ａを挿通するためのボルト挿通孔３ａ、５ａが形成されている。
【００１６】
絶縁セパレータ２、ダクト側板継ぎ板３、導電性接続部材４は、絶縁スリーブ５のボルト挿通孔５ａにボルト６ａを挿通するなど、ボルト６ａやナット６ｂ等の締着具によって予め仮締着されており、バスダクト７を接続していないときにも仮組みされたユニットになっている。
【００１７】
接続すべきバスダクト７の端部には、所定間隔で板形の導体端部８が三つ等複数設けられ、導体端部８の両外側にはバスダクト側板９が配設されている。対向するバスダクト７を相互に接続する際には、各導体端部８を各絶縁セパレータ２間に設けられた二枚の導電性接続部材４間に絶縁スリーブ５の近傍まで挿入し、同相導体端部８同士を導電性接続部材４を介して電気的に接続すると共に、バスダクト側板９を両ダクト側板継ぎ板２の外側面に接触するように位置させる。このとき、絶縁セパレータ２によって、異相の導体端部８間及び最外側の導体端部８とダクト側板継ぎ板３との間は絶縁される。そして、バスダクト側板９を外側から皿ばね６ｃを押すように、皿ばね６ｃを介して孔３ａ、５ａにボルト６ａを挿入し、ナット６ｂで締め付けて一括本締着することでバスダクト７相互を接続する構成である。
【００１８】
また、対向して接続すべき一方のバスダクト７の導体端部８と他方のバスダクト７の導体端部８との間で且つ導電性接続部材４間には、後述する分岐用ボックス１２等のプラグイン分岐用端子１３が挿入できるように受入接続部として分岐用空隙１０が形成され、分岐用空隙１０に挿入されたプラグイン分岐用端子１３は、両側に位置する導電性接続部材４で狭持され分岐されることとなる。
【００１９】
そして、図３に示すように、バスダクト７を接続したバスダクト接続部１において、受入接続部が位置する分岐に対応した開放面には、塵埃などの侵入を防止するため、透明なプラスチック製等のカバー部材１１をバスダクト側板９の外側から嵌め、カバー部材１１の外方からバスダクト７にビス等をねじ込んでカバー部材１１を固定する。
【００２０】
カバー部材１１は、図４に示すように、断面略コ字形に形成されており、そのほぼ中央には少なくとも後述する分岐用ボックス１２等のプラグイン分岐用端子１３が挿入可能な大きさで四角形のプラグイン分岐用開口部１１ａが形成され、本実施形態の大きさは、導体端部８幅方向では最外側の導電性接続部材４の上まで、導体端部８長さ方向では接続すべきバスダクト７の導体端部８の先端の上まで達する。尚、プラグイン分岐用開口部１１ａの大きさ、形状は上記に限定されるものではなく、プラグイン分岐用端子１３が挿入可能な大きさ、形状であれば適宜である。
【００２１】
前記プラグイン分岐用開口部１１ａはノックアウト構造で、通常はノックアウト部１１ｂがカバー部材１１のほぼ中央に形成され、バスダクト接続部１の上下を閉鎖している。分岐の必要時にカバー部材１１をバスダクト接続部１から取り外し、ノックアウト部１１ｂをハンマー等で打ち抜くことにより、カバー部材１１にプラグイン分岐用開口部１１ａが形成されることとなる。
【００２２】
プラグイン分岐用開口部１１ａが形成されたカバー部材１１を元のバスダクト接続部１の位置に取り付けることにより、プラグイン分岐用開口部１１ａを有する状態でバスダクト接続部１が得られ、バスダクト７の接続が完了する。そして、図５及び図６に示すように、プラグイン分岐用開口部１１ａから分岐ボックス１２等のプラグイン分岐用端子１３を挿入すると、プラグイン分岐用端子１３が導電性接続部材４間に差し込まれて狭持され、プラグイン分岐用端子１３と導電性接続部材４が電気的に接続されることになる。
【００２３】
プラグイン分岐用開口部１１ａをノックアウト構造にすることで、分岐の必要時にのみプラグイン分岐用開口部１１ａを形成することが可能となり、塵埃などの入り込みによる短絡、地絡等の事故を防ぐことができる。また、将来分岐が必要な箇所についても、予めノックアウト部１１ｂが形成されたカバー部材１１を用いることにより、容易にいつでもプラグイン分岐用開口部１１ａを形成することができる。又、前記ノックアウト部１１ｂの形成方法は、カバー部材１１にハンマー等で打ち抜くことにより、プラグイン分岐用開口部１１ａを形成可能なように、切り込み部等を形成する等適宜である。つまり、ノックアウト部１１ｂとカバー部材１１との間に一部連結部（不図示）を有し、前記ハンマー等で打ち抜くことにより、この一部連結部が切断され、プラグイン分岐用開口部１１ａが形成される構成となる。さらに、ノックアウト構造を使用することにより、プラグイン分岐用開口部１１ａを安価に製造することが可能となる。
【００２４】
又、ノックアウト部１１ｂのみをプラスチック製にする場合の形成方法は、図７及び図８に示すように、プラスチック材２０に予めノックアウト部１１ｂを形成し、このノックアウト部１１ｂが形成されたプラスチック材２０を予めプラグイン分岐用開口部１１ａが形成されたカバー部材１１に前記プラグイン分岐用開口部１１ａを閉鎖するように、且つノックアウト部１１ｂとプラグイン分岐用開口部１１ａがその中心が同一位置になるよう接着剤等により固着面３０で固着する等適宜である。この場合、プラスチック材２０に形成されたノックアウト部１１ｂとカバー部材１１に形成されたプラグイン分岐用開口部１１ａとの形状及び大きさは適宜であるが、双方同一であると好ましい。
【００２５】
以上、本発明に係るバスダクト接続部１の実施形態例について説明したが、本発明は上記実施形態例に限定されるものではなく、以下のような拡張及び変形をすることが可能である。
【００２６】
例えば、上記実施形態例では、接続すべきバスダクト７を３線式のバスダクト７とし、絶縁セパレータ２は４枚、この絶縁セパレータ２間に２枚ずつ導電性接続部材４が介在する構成で説明したが、２線式或いは４線式以上のバスダクト７や導電性接続部材４を一枚としたものであってもよい。更には、相変換式のバスダクトにも適用できる。
【００２７】
又、バスダクト７の接続方式を突き合わせ方式で説明したが、例えば、各絶縁セパレータ２の接続すべきバスダクト７の導体端部８側に接する面に導電性接続部材４を予め添設しておき、その導電性接続部材４相互間において接続すべきバスダクト７の同相導体端部８同士を重ね合わせ、締着具で締着する重ね合わせ方式であってもよく、バスダクト接続部１にノックアウト構造のプラグイン分岐用開口部１１ａが形成されているものは全て含まれる。
【００２８】
又、プラグイン分岐用端子１３の受入接続部による接続方式は、導電性接続部材４間とバスダクト導体端部８相互間に形成される分岐用空隙１０にプラグイン分岐用端子１３を挿入して狭持する方式で説明したが、これに限定されるものではなく、例えば、特公昭４９−４４３８７号公報の第３図（イ）又は（ロ）のように、導電性接続部材４の幅をバスダクト導体端部８の幅より広くし、導体端部８の上下部から突出した導電性接続部材４相互間にプラグイン分岐用端子１３を挿入嵌着する等、どのような受入接続部であってもよい。従って、導電性接続部材４を使用せずに同相導体端部８相互を重ね合わせて接続し、重ね合わせ部分で更に重ねるなどでプラグイン分岐用端子１３を挿入して受け入れられる構成としてもよい。
【００２９】
又、本発明に係るバスダクト接続部は、裸導体を配設した空気絶縁形のバスダクトにおいて、絶縁セパレータを介して導体を一括緊締接続するバスダクト接続部など、複数相の導体が並ぶバスダクト接続部を、１本乃至複数本のねじ部品で一括緊締して接続するようなものにも実施可能である。
【００３０】
又、カバー部材１１のほぼ中央部にノックアウト部１１ｂを１つ形成するように説明したが、ノックアウト部１１ｂの箇所及び個数は上記実施形態例に限定されるものではなく、一つのバスダクト接続部１から複数の分岐を可能にするため、カバー部材１１にノックアウト部１１ｂを複数個設けること、或いは各相のプラグイン分岐用端子１３毎にノックアウト部１１ｂを形成するように複数個設けること等適宜である。この場合、複数個のノックアウト部１１ｂは並列に若しくは直列に、或いは各相千鳥配置に形成するなど、その態様は適宜である。
【００３１】
又、分岐用ボックス１２等をバスダクト接続部１のカバー部材１１のプラグイン分岐用開口部１１ａから取り外した場合、分岐が必要な接続箇所のカバー部材１１と交換、或いは他の新しいノックアウト部１１ｂが付いているカバー部材１１と交換することにより、不使用時の塵埃の侵入を防ぐことが可能となる。尚、プラグイン分岐用端子１３の構成は実施例に限定されるものではなく、適合使用可能なもの全てを包含する。
【００３２】
又、カバー部材１１に設けられたノックアウト部１１ｂをバスダクト接続部１の上下に形成し、１つのバスダクト接続部１から２分岐が可能な構成にしてもよく、この場合、バスダクト接続部１の上下のカバー部材１１のノックアウト部１１ｂを開口して、それぞれ分岐用ボックス１２等のプラグイン分岐用端子１３を挿入することになる。
【００３３】
さらには、カバー部材１１をプラスチックで形成することに加え、このプラスチックに示温材料を混入して所定温度以上になると変色するようにしてもよく、かかるカバー部材１１を使用することで、バスダクト接続部１の異常温度箇所を容易に判別することが可能となって、該当箇所の修復処理を迅速に行うことができる。なおカバー部材１１のノックアウト部１１ｂのみをプラスチック製とすることも可能である。
【００３４】
【発明の効果】
以上のように、本発明の分岐可能なバスダクト接続部を所定箇所に配設して使用することにより、バスダクト接続部への塵埃の侵入を最大限防止しつつ、何処のバスダクト接続部からでも何時でも分岐が必要なときに極めて容易に分岐することができ、これを安価に実現することができるという効果を有する。
【００３５】
さらに、上記バスダクト接続部のノックアウト部或いはノックアウト部を設けられたカバー部材全体をプラスチックで形成した場合には、絶縁性に非常に優れた安全なものとすることができ、特に示温材料や透明な材料のプラスチックで形成した場合には点検作業が極めて容易となるという効果がある。
【図面の簡単な説明】
【図１】本発明によるバスダクト接続部の分解斜視図。
【図２】カバー部材を取り外した状態のバスダクト接続部を示す一部切断平面図。
【図３】プラグイン分岐用開口部が開口状態であるバスダクト接続部を示す平面図。
【図４】プラグイン分岐用開口部が開口状態であるカバー部材を示す斜視図。
【図５】バスダクト接続部と分岐用ボックスをプラグイン分岐用端子で接続した状態を示す正面図。
【図６】バスダクト接続部と分岐用ボックスをプラグイン分岐用端子で接続した状態の要部を示す一部切断正面図。
【図７】別実施例のカバー部材およびノックアウト部の一部拡大平面図。
【図８】図７の断面図。
【符号の説明】
１      バスダクト接続部
２      絶縁セパレータ
２ａ    挿通孔
３      ダクト側板継ぎ板
３ａ    ボルト挿通孔
４      導電性接続部材
４ａ    挿通孔
５      絶縁スリーブ
５ａ    ボルト挿通孔
６ａ    ボルト
６ｂ    ナット
６ｃ    皿ばね
７      バスダクト
８      導体端部
９      バスダクト側板
１０    分岐用空隙
１１    カバー部材
１１ａ  プラグイン分岐用開口部
１１ｂ  ノックアウト部
１２    分岐用ボックス
１３    プラグイン分岐用端子
【図１】
0004315519.tif 000002
【図２】
0004315519.tif 000003
【図３】
0004315519.tif 000004
【図４】
0004315519.tif 000005
【図５】
0004315519.tif 000006
【図６】
0004315519.tif 000007
【図７】
0004315519.tif 000008
【図８】
0004315519.tif 000009